(57)【要約】【課題】保守点検対象のエレベータでの当該保守点検作業に関わる情報を容易に得る。【解決手段】エレベータの保守点検作業の開始前に、携帯電話４により、構内に貼付されるシールに印刷される二次元コードを入力して得た、エレベータの設置建物住所およびエレベータ号機の情報をセンタ端末５へ送信する。センタ端末５では、携帯電話４からの情報と、保守管理対象のエレベータの設置建物の住所の情報、エレベータ号機の情報、および、点検作業中であるかを示す作業ステータスの情報とが対応付けられるデータベースとを照合して、前述した二次元コードシール３３の貼付箇所に対応する設置建物の住所、およびエレベータ号機の情報に対応付けられる作業パラメータの情報を抽出し、この作業パラメータをもとに、保守点検作業の開始または終了を示すメッセージをモニタ表示する。【選択図】      図２
2006264889.tif 000002
【特許請求の範囲】
【請求項１】
携帯通信端末装置、および、エレベータ監視装置を有するシステムであって、
前記携帯通信端末装置は、
保守管理対象のエレベータの設置箇所に設けられた、前記エレベータの設置箇所を特定する情報を含む二次元コードを読み取る読み取り手段と、
この読み取り手段により読み取った二次元コードを復号する復号手段と、
この復号手段により復号して得た情報を送信する送信手段と
を備え、
前記エレベータ監視装置は、
前記携帯通信端末装置の送信手段により送信された情報を受信する受信手段と、
この受信手段により受信した情報の表示制御を行なう表示制御手段と
を備えた
ことを特徴とするエレベータ監視システム。
【請求項２】
保守管理対象のエレベータの設置箇所に設けられた、前記エレベータの設置箇所を特定する情報を含む二次元コードを読み取り、復号して得た情報を受信する受信手段と、
この受信した情報の表示制御を行なう表示制御手段と
を備えたことを特徴とするエレベータ監視装置。
【請求項３】
保守管理対象の少なくとも１台のエレベータの設置箇所を特定する情報と、この箇所に設置されるエレベータの保守点検作業が実行中であるか否かを示す作業状況情報とを対応付けて記憶する記憶手段と、
前記受信手段により受信した、前記エレベータの設置箇所を特定する情報と、前記記憶手段に記憶される情報とを照合することで、前記受信した情報の送信元のエレベータと対応する作業状況情報を検索する検索手段と、
この検索手段により検索した作業状況情報を、対となる作業状況を示す情報に書き換える書換え手段と
をさらに備え、
前記表示制御手段は、前記書換え手段により書き換えた作業状況情報をもとに、前記送信元のエレベータの作業状況の案内情報の表示制御をさらに行なう
ことを特徴とする請求項２に記載のエレベータ監視装置。
【請求項４】
前記受信手段は、固有の識別情報を記憶する識別情報記憶手段を備えた携帯通信端末装置からの情報をさらに受信可能であり、
この受信手段により受信した識別情報と、前記識別情報と対応する携帯通信端末装置の所持者の個人情報とを照合することで、前記受信した識別情報の送信元の携帯通信端末装置の所持者の個人情報を検索する個人情報検索手段をさらに備え、
前記表示制御手段は、前記個人情報検索手段により検索した個人情報の表示制御をさらに行なう
ことを特徴とする請求項３に記載のエレベータ監視装置。
【請求項５】
保守管理対象のエレベータの設置箇所に貼付され、かつ、当該エレベータの設置箇所を特定する情報を示す二次元コードが印刷されてなることを特徴とするコードシール。
【発明の詳細な説明】
【技術分野】
【０００１】
本発明は、エレベータの保守点検に関わる情報の送受信を行なうエレベータ監視システム、エレベータ監視装置およびコードシールに関する。
【背景技術】
【０００２】
従来、エレベータを保守点検する作業員は、一般には、一日のうちに複数の現場を巡回し、各現場での保守点検作業を行っている。保守点検作業はあらかじめスケジュール化されており、所定の巡回順路を所定の時間間隔で移動するように管理されているのが普通である。
【０００３】
このような管理を行なうために、作業員は現場での作業開始時に、監視センタに電話をかけ、氏名、作業する現場の情報、この現場での作業を開始する旨を伝達する。作業する現場の情報とは、例えばエレベータの設置建物の住所や、当該建物の名称などである。この建物の構内に複数のエレベータが設置されている場合には、エレベータ号機の情報もあわせて監視センタに伝達する。
【０００４】
すると、監視センタのオペレータは、電話での伝達事項（作業者の氏名、保守点検作業を開始した箇所、この箇所で保守点検作業を開始した事）を記録する。
【０００５】
このような伝達手順および監視センタでの記録手順は、保守点検作業の終了時にも行なわれ、また、他の巡回先での保守点検作業の開始および終了時にも行なわれる。
【０００６】
また、前述したような作業員の動静を監視センタ側で把握する技術として、例えば特許文献１に開示されるように、ＧＰＳレシーバを作業員が携帯し、このＧＰＳレシーバが得た現在位置情報を監視センタに送信するものがある。
【特許文献１】特開平９−１０７４１０号公報
【発明の開示】
【発明が解決しようとする課題】
【０００７】
しかし、保守点検作業に関する前述したような管理方法では、現場の作業員が各現場での作業ごとに、監視センタに電話連絡を行なわなければならない。エレベータでは、制御盤の動作停止時に、これを示す情報を含む信号、いわゆる停止通知信号を監視センタ側に送信する機能を有する。動作停止には、作業員による保守点検作業のための停止、および、エレベータの機器異常による動作停止がある。
【０００８】
したがって、監視センタで停止通知信号を受信し、かつ、作業員から監視センタに対する電話連絡が無い場合には、オペレータは、停止信号が、保守点検作業のために送信されたのか、エレベータの異常により送信されたかを判断するために、停止信号の送信元のエレベータの点検作業のスケジュールを把握しなければならない。
【０００９】
また、前述した特許文献１に開示されたような手法では、作業員の現在位置の情報を監視センタ側で知ることはできるが、この位置でのエレベータの保守点検作業の状況を監視センタ側で把握することはできない。
【００１０】
そこで、本発明の目的は、保守点検対象のエレベータでの当該保守点検作業に関わる情報を容易に得ることが可能になるエレベータ監視システム、エレベータ監視装置およびコードシールを提供することにある。
【課題を解決するための手段】
【００１１】
すなわち、本発明に係わるエレベータ監視システムは、携帯通信端末装置、および、エレベータ監視装置を有するシステムであって、携帯通信端末装置は、保守管理対象のエレベータの設置箇所に設けられた、エレベータの設置箇所を特定する情報を含む二次元コードを読み取り、この読み取った二次元コードを復号し、この復号して得た情報を送信し、エレベータ監視装置は、携帯通信端末装置により送信された情報を受信し、この受信した情報の表示制御を行なうことを特徴とする。
【発明の効果】
【００１２】
本発明によれば、保守点検対象のエレベータでの当該保守点検作業に関わる情報を容易に得ることができる。
【発明を実施するための最良の形態】
【００１３】
以下図面により本発明の実施形態について説明する。  
図１は、本発明の実施形態にしたがった保守点検対象のエレベータの一例を示す図である。  
図１に示すように、保守点検対象のエレベータが複数台設置される建物１には、１号機エレベータ昇降路２ａ、２号機エレベータ２ｂ、および、２号機エレベータ２ｃが設けられる。１号機エレベータ昇降路２ａでは、１号機エレベータ乗りかご３ａが昇降する。２号機エレベータ昇降路２ｂでは、２号機エレベータ乗りかご３ｂが昇降する。また、３号機エレベータ昇降路２ｃでは、３号機エレベータ乗りかご３ｃが昇降する。
【００１４】
図２は、本発明の実施形態にしたがったエレベータ監視システムの構成例を示す図である。  
図３は、本発明の実施形態にしたがった保守点検対象のエレベータの乗りかごに貼付される二次元コードシール３３に印刷される二次元コードの具体例を示す図である。  
図２に示すように、１号機エレベータ乗りかご３ａ（図１参照）の内部のかごドア３１の近傍には、かご内操作盤３２が設けられる。かご内操作盤３２の例えば下部には、二次元コードシール３３が貼付される。二次元コードシール３３には二次元コードが印刷される。
【００１５】
図３に概略的に示すように、二次元コードは、マトリックス状に形成され、“０”および“１”のいずれかに数値化した情報のそれぞれの数値が二次元コードの各ドットの濃淡（白または黒）に対応づけられたものである。二次元コードは、縦方向および横方向の情報をもつので、例えば商品管理などに用いられる線状バーコード（一次元コード）と比較して、記録できる情報量が格段に多い。このような二次元コードとしては、例えばＱＲコード（登録商標）などが広く知られている。
【００１６】
二次元コードシール３３に印刷された二次元コードには、印刷対象の二次元コードシール３３の貼付箇所に対応したエレベータが設置される建物の住所、および、エレベータ号機の情報が含まれる。エレベータ号機の情報は、この号機の保守管理業者名の情報を含むものであってもよい。もちろん、二次元コード化されたこれらの情報が文字情報など視覚的に認識できる状態で二次元コードに隣接して印刷されていてもよい。
【００１７】
二次元コードシール３３は、乗りかご２ｂや乗りかご２ｃ内にも貼付される。具体的には、乗りかご２ｂ内に貼付された二次元コードシール３３に印刷された二次元コードでは、乗りかご２ｂが属するエレベータの設置箇所に対応する建物の住所、および、当該エレベータのエレベータ号機の情報が示される。また、乗りかご２ｃ内に貼付された二次元コードシール３３に印刷された二次元コードでは、乗りかご２ｃが属するエレベータの設置箇所に対応する建物の住所、および、当該エレベータのエレベータ号機の情報が示される。
【００１８】
二次元コードシール３３の貼付箇所は、この二次元コードシール３３に印刷される二次元コードで示されるエレベータ号機と対応していればよい。すなわち、二次元コードシール３３は、乗りかご内に限らず、例えば機械室内の機器に貼付してもよい。
【００１９】
携帯電話４は、エレベータの点検作業員が所持し、かつ、保守点検作業時に携行する携帯通信端末装置であり、二次元コードシール３３を画像情報として入力する機能を有する。携帯電話４は、二次元コードシール３３に印刷された二次元コードで示される情報を復号し、この復号した情報を無線によりセンタ端末５に送信する。
【００２０】
センタ端末５は、エレベータの監視センタに設けられる端末装置である。センタ端末５は、携帯電話４から前述のように送信された情報を例えば文字情報の形で地図上にモニタ表示する。
【００２１】
二次元コードシール３３の貼付箇所は、二次元コードシール３３を入力することのできる箇所であれば、かご内の他の箇所であってもよいし、例えば、エレベータ機械室などであってもよい。
【００２２】
図４は、本発明の実施形態にしたがったエレベータ監視システムにおける携帯電話４の内部回路の構成例を示すブロック図である。なお、音声通話に関する回路の構成については説明を省略する。
【００２３】
図４に示すように、点検作業員が携行する携帯電話４は、制御部４１、記憶部４２、通信インタフェース４３、アンテナ４４、入力部４５、表示部４６、および撮影装置４７を備える。制御部１１は、記憶部４２、入力部４５、表示部４６、および、撮影装置４７と接続される。制御部４１は、通信インタフェース４３を介してアンテナ４４と接続される。
【００２４】
制御部４１は、携帯電話４の全体の制御を司る。記憶部４２は、制御部４１による制御用のプログラムを記憶する。また、記憶部４２は、携帯電話４に固有に対応付けられる識別番号、例えば製造番号などからなる端末ナンバを記憶する。通信インタフェース４３は、センタ端末５との通信を行なう。
【００２５】
撮影装置４７は、撮像光学系を二次元コードシール３３に向け、かつ、入力部４５に対する予め定められた操作を行なうことで、二次元コードシール３３に印刷された二次元コードを入力し、この入力によって得た画像を制御部４１に出力する。
【００２６】
制御部４１は、この出力された画像に対する復号処理を行ない、この復号した情報を、通信インタフェース４３を介してセンタ端末５に出力する。
【００２７】
図５は、本発明の実施形態にしたがったエレベータ監視システムにおけるセンタ端末５の内部回路の構成例を示すブロック図である。  
図５に示すように、保守点検対象のエレベータのセンタ端末５は、制御部５１、記憶部５２、通信インタフェース５３、アンテナ５４、入力部５５、および、表示部５６を備える。制御部５１は、記憶部５２、入力部５５、および表示部５６と接続される。制御部５１は、通信インタフェース５３を介してアンテナ５４と接続される。
【００２８】
制御部５１は、センタ端末５の全体の制御を司る。記憶部５２は、制御部５１による制御用のプログラムを記憶する。通信インタフェース５３は、携帯電話４との通信を行なう。
【００２９】
図６は、本発明の実施形態にしたがったエレベータ監視システムにおけるセンタ端末５の記憶部５２に記憶される、作業情報データベースの一例を表形式で示す図である。  
センタ端末５の記憶部５２は、前述した制御プログラムとは別に、図６に示したような作業情報データベースを記憶する。この作業情報データベースでは、保守管理対象の各エレベータの設置建物の住所の情報と、この設置されるエレベータの号機の情報と、作業ステータスの情報とが対応付けられる。作業ステータスとは、作業情報データベース上で対応付けられる号機のエレベータが、保守点検作業中であるか否か示す情報である。
【００３０】
作業ステータスには、“作業中”および“作業外”の２種類がある。“作業中”とは、作業情報データベース上で対応付けられる号機のエレベータが保守点検作業中であることを示す情報である。“作業外”とは、作業情報データベース上で対応付けられる号機のエレベータが保守点検作業中でない（あるいは保守点検作業が終了した）ことを示す情報である。
【００３１】
図７は、本発明の実施形態にしたがったエレベータ監視システムにおけるセンタ端末５の記憶部５２に記憶される、個人情報データベースの一例を表形式で示す図である。  
センタ端末５の記憶部５２は、前述した作業情報データベースとは別に、図７に示したような個人情報データベースを記憶する。この個人情報データベースでは、携帯電話４の端末ナンバの情報と、端末ナンバと対応する携帯電話４の所持者である点検作業員の氏名の情報と、所持者の所属先の情報とが対応付けられる。所属先とは、所持者の所属部署および役職名を含む。
【００３２】
次に、本発明の実施形態にしたがったエレベータ監視システムにおける携帯電話４による処理動作について説明する。図８は、本発明の実施形態にしたがったエレベータ監視システムにおける携帯電話４による処理動作の一例を示すフローチャートである。
【００３３】
まず、点検作業員は、自身が所持する携帯電話４を携行した上で、保守点検対象のエレベータが設置される建物に向かう。ここでは、保守点検対象のエレベータの乗りかごは、建物１の１号機エレベータ昇降路３ａを昇降する１号機エレベータ乗りかご３ａ（図１参照）であるとする。
【００３４】
点検作業員が、保守点検対象のエレベータの保守点検作業を行なう前に、携帯電話４の入力部４５に対する予め定めた手順での操作を行なうことで、携帯電話４の動作モードを、二次元コード読み取りモードに切り換える。
【００３５】
携帯電話４の動作モードが二次元コード読み取りモードである場合に、点検作業員が携帯電話４の撮影装置４７の撮像光学系を、乗りかご３ａ内の二次元コードシール３３（図２参照）に向け、入力部４５に対する予め定められた操作を行なうと、撮影装置４７は、被写体である二次元コードの入力を行なう。  
携帯電話４の制御部４１は、撮影装置４７が入力した二次元コードのパターンを認識し（ステップＳ１）、このパターンにかかる復号処理を行なう（ステップＳ２）。
【００３６】
制御部４１は、この復号処理を行なうことで、二次元コードシール３３に印刷される二次元コードで示される、乗りかご３ａが属するエレベータの設置建物の住所と、エレベータ号機の情報を取得する。制御部４１は、これらの取得した情報を、記憶部５２に記憶される、携帯電話４の端末ナンバの情報とともに、通信インタフェース４３を介して、センタ端末５（図２参照）に送信する（ステップＳ３）。
【００３７】
次に、本発明の実施形態にしたがったエレベータ監視システムにおけるセンタ端末５による処理動作について説明する。図９は、本発明の実施形態にしたがったエレベータ監視システムにおけるセンタ端末５による処理動作の一例を示すフローチャートである。
【００３８】
センタ端末５では、携帯電話４から送信された情報、つまり、二次元コードシール３３の貼付箇所と対応するエレベータに関する情報、および、当該送信元の携帯電話４の端末ナンバの情報を、通信インタフェース５３により受信する（ステップＡ１）。
【００３９】
センタ端末５の制御部５１は、通信インタフェース５３が受信した情報を取得し、この取得した情報のうち、エレベータ設置建物住所の情報およびエレベータ号機の情報と、記憶部５２に記憶される作業情報データベース（図６参照）とを照合する。そして、作業情報データベースにおける、エレベータ設置建物住所およびエレベータ号機の組み合わせの情報のうち、前述のように取得した情報で示されるエレベータ設置建物住所およびエレベータ号機の組み合わせと同じ組み合わせの情報を検索する。
【００４０】
そして、制御部５１は、このようにして検索したエレベータ設置建物住所およびエレベータ号機の組み合わせの情報と作業情報データベース上で対応付けられる作業ステータスの情報を検索する。
【００４１】
これら検索した情報は、前述のように受信された情報の送信元の携帯電話４により読み取った二次元コードが印刷される二次元コードシール３３の貼付箇所と対応するエレベータの設置建物の住所、エレベータ号機、および作業ステータスの情報に該当する。
【００４２】
また、センタ端末５の制御部５１は、前述のように取得した情報のうち、携帯電話４の端末ナンバの情報と、記憶部５２に記憶される個人情報データベース（図７参照）とを照合して、個人情報データベースにおける端末ナンバの情報のうち、携帯電話４からの端末ナンバの情報と同じ情報を検索する。
【００４３】
そして、制御部５１は、このように検索した端末ナンバと個人情報データベース上で対応付けられる、端末所持者（点検作業員）氏名、および端末所持者の所属先の情報を検索する（ステップＡ２，Ａ３）。これら検索した情報は、前述のように受信した情報の送信元の携帯電話４の所持者氏名、および、当該端末所持者の所属先の情報に該当する。
【００４４】
制御部５１は、前述のように抽出した情報で示される作業ステータスが、“作業中”であるか“作業外”であるかを判別する（ステップＡ４）。  
この判別の結果、前述のように抽出した情報で示される作業ステータスが、“作業中”でない、つまり、現在は、二次元コードシール３３の貼付箇所と対応するエレベータの保守点検作業がなされていないと判別した場合（ステップＡ４のＮＯ）には、制御部５１は、保守点検作業員が該当のエレベータの保守点検作業を開始するとみなし、作業情報データベースにおける作業ステータスの情報のうち、前述のように検索した作業ステータスを“作業中”に書き換える（ステップＡ５）。
【００４５】
そして、制御部５１は、点検作業が開始されたことを示すメッセージ（例：点検作業が開始されました。）に加え、前述のように作業情報データベースを用いて検索した、エレベータの設置建物の住所、および、エレベータ号機の情報、ならびに、前述のように個人情報データベースを用いて検索した、点検作業員の氏名、および、当該点検作業員の所属先を、センタ端末５の表示部５６に表示させる（ステップＡ６）。  
図１０は、本発明の実施形態にしたがったエレベータ監視システムにおけるセンタ端末５の表示部に表示される作業開始の通知画面の一例を示す図である。
【００４６】
この後、点検作業員は、エレベータの保守点検作業を開始し、この作業が終了した後に、前述した二次元コードシール３３に印刷された二次元コードを携帯電話４で再び入力し、復号した情報および端末ナンバの情報をセンタ端末５に送信する。
【００４７】
センタ端末５は、前述したように、携帯電話４からの情報で示されるエレベータ設置建物住所およびエレベータ号機の情報、および、このエレベータの作業ステータスを、作業情報データベースを用いて検索し、携帯電話４からの端末ナンバと対応付けられる、点検作業員の氏名、および点検作業員の所属先の情報を、個人情報データベースを用いて検索する。
【００４８】
そして、制御部５１は、前述のように検索した情報で示される作業ステータスが、“作業中”であるか否かを判別する。この場合、制御部５１は、前述のように検索した情報で示される作業ステータスが、“作業中”である、つまり、現在は、二次元コードシール３３の貼付箇所に対応するエレベータの保守点検作業中であると判別する（ステップＡ４のＹＥＳ）ので、制御部５１は、点検作業員が該当のエレベータの保守点検作業を終了するとみなし、作業情報データベースにおける作業ステータスの情報のうち、前述のように検索した作業ステータスを“作業外”に書き換える（ステップＡ７）。
【００４９】
そして、制御部５１は、点検作業が終了したことを示すメッセージ（例：点検作業が終了しました。）に加え、前述のように作業情報データベースを用いて検索した、エレベータの設置建物の住所、エレベータ号機の情報、ならびに、前述のように個人情報データベースを用いて検索した、点検作業員の氏名、および、当該点検作業員の所属先を、センタ端末５の表示部５６に表示させる（ステップＡ８）。  
図１１は、本発明の実施形態にしたがったエレベータ監視システムにおけるセンタ端末５の表示部５６に表示される作業終了の通知画面の一例を示す図である。
【００５０】
以上説明したように、本発明の実施形態にしたがった、保守点検対象のエレベータの作業員が携行する携帯電話４は、保守点検対象のエレベータの保守点検作業を開始する前に、当該エレベータの乗りかご内に貼付される二次元コードシール３３に印刷される二次元コードを入力して、この入力した画像をもとに得た、エレベータ設置建物住所の情報およびエレベータ号機の情報をセンタ端末５へ送信し、センタ端末５では、携帯電話４からのエレベータ設置建物住所の情報およびエレベータ号機の情報と、作業情報データベースとを照合して、エレベータの保守点検作業に関わっているか否かを示す作業パラメータの情報を検索する。
【００５１】
そして、センタ端末５では、この検索した作業パラメータの情報をもとに、作業員による保守点検作業の開始または終了を示すメッセージを、送信元の携帯電話４が読み取った二次元コードが印刷される二次元コードシール３３の貼付箇所に対応するエレベータの設置建物の住所、およびエレベータ号機の情報とともにモニタ表示する。そのため、保守点検作業員が、この作業箇所に貼付される二次元コードシール３３に印刷される二次元コードを携帯電話４により入力するだけで、センタ端末５のオペレータは、それぞれのエレベータの保守点検作業の開始または終了のタイミング、および、当該エレベータの設置建物を特定する情報を把握することができる。
【００５２】
したがって、点検作業員は、電話連絡を行なう必要無しに、作業開始時、および作業終了時の報告を監視センタに行なうことができるので、エレベータの保守点検作業の効率を向上させることができる。
【００５３】
以上説明した実施形態では、二次元コードシール３３に印刷された二次元コードを読み取るために携帯電話４を用いる構成としたが、これに限らず、二次元コードの読み取り機能及び、この読み取った情報をセンタ端末５に送信する機能を有する携帯通信端末装置であれば、通話機能は必ずしも要求されない。
【００５４】
また、以上説明した実施形態では、二次元コードシール３３に印刷された二次元コードで示される情報のデコード処理を携帯電話４で行なう構成としたが、これに限らず、携帯電話４は、読み取った二次元コードのドットパターンを示す情報をそのまま送信し、センタ端末５は、この送信された情報を受信したら、この情報のデコード処理を行なう構成であってもよい。
【００５５】
なお、前記実施の形態は、本発明をエレベータに適用した場合について説明したものであるが、これに限らず、例えばエスカレータにも本発明を適用することが可能である。  
また、二次元コードは、前述したＱＲコード（登録商標）であってもよいし、PDF417，Maxi Code，Data Matrix，Veri Code，Code49，Code1，Aztec Code，RSS(Reads reduced Space Symbology)，Super Code（登録商標を含む）などであってもよい。
【００５６】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００５７】
【図１】本発明の実施形態にしたがった保守点検対象のエレベータの一例を示す図。
【図２】本発明の実施形態にしたがったエレベータ監視システムの構成例を示す図。
【図３】本発明の実施形態にしたがった保守点検対象のエレベータの乗りかごに貼付される二次元コードシールに印刷される二次元コードの概略を示す図。
【図４】本発明の実施形態にしたがったエレベータ監視システムにおける携帯電話の内部回路の構成例を示すブロック図。
【図５】本発明の実施形態にしたがったエレベータ監視システムにおけるセンタ端末の内部回路の構成例を示すブロック図。
【図６】本発明の実施形態にしたがったエレベータ監視システムにおけるセンタ端末の記憶部に記憶される、作業状況データベースの一例を表形式で示す図。
【図７】本発明の実施形態にしたがったエレベータ監視システムにおけるセンタ端末の記憶部に記憶される、個人情報データベースの一例を表形式で示す図。
【図８】本発明の実施形態にしたがったエレベータ監視システムにおける携帯電話による処理動作の一例を示すフローチャート。
【図９】本発明の実施形態にしたがったエレベータ監視システムにおけるセンタ端末による処理動作の一例を示すフローチャート。
【図１０】本発明の実施形態にしたがったエレベータ監視システムにおけるセンタ端末の表示部に表示される作業開始の通知画面の一例を示す図。
【図１１】本発明の実施形態にしたがったエレベータ監視システムにおけるセンタ端末の表示部に表示される作業終了の通知画面の一例を示す図。
【符号の説明】
【００５８】
１…エレベータ設置ビル、２ａ…１号機エレベータ昇降路、２ｂ…２号機エレベータ昇降路、２ｃ…３号機エレベータ昇降路、３ａ…１号機エレベータ乗りかご、３ｂ…２号機エレベータ乗りかご、３ｃ…３号機エレベータ乗りかご、３１…かごドア、３２…かご内操作盤、３３…二次元コードシール、４…携帯電話、５…センタ端末、４１，５１…制御部、４２，５２…記憶部、４３，５３…通信インタフェース、４４，５４…アンテナ、４５，５５…入力部、４６，５６…表示部、４７…撮影装置。
【図１】
2006264889.tif 000003
【図２】
2006264889.tif 000004
【図３】
2006264889.tif 000005
【図４】
2006264889.tif 000006
【図５】
2006264889.tif 000007
【図６】
2006264889.tif 000008
【図７】
2006264889.tif 000009
【図８】
2006264889.tif 000010
【図９】
2006264889.tif 000011
【図１０】
2006264889.tif 000012
【図１１】
2006264889.tif 000013